(57)【要約】【課題】津波の流れや地震に対して、構造体の崩壊やその構造体の機能の破壊についての防止手段を明確にすること。【解決手段】避難空間は筒状体の側壁と該側壁の上端部と下端部に天井壁と床壁を設けて構成し、前記筒状体の中央垂直方向で前記天井壁と前記床壁の間に鋼製パイプの支柱を設けて補強し、前記支柱は地震によって座屈をしないように構成すると共に、前記避難空間の一部又は全体に重大な破壊が生じないように構成したこと。【選択図】図３
2016040440.tif 000002
【特許請求の範囲】
【請求項１】
津波から避難する避難者を収容する水密可能な避難空間を有する構造体を地上に設け、前記避難空間に出入りする出入口を地面から近い位置に設けると共に前記出入口を水密に閉鎖可能な開閉扉を設け、水密時間中に、前記避難空間内に収容した津波避難者の呼吸による前記避難空間内の空気中の所定値を越える酸素の減少と二酸化炭素の増加を防止する空気の汚染防止手段を設けた津波避難タワーにおいて、
前記構造体は鉄筋・鉄骨入りコンクリート製とし、来襲した津波の海水の水流や水流中の漂流物によって構造体が倒壊せず、かつ、部分的な破壊が生じて前記避難空間へ漏れ水が浸入しないように前記構造体を構築したことを特徴とする津波避難タワー。
【請求項２】
前記避難空間は筒状体の側壁と該側壁の上端部と下端部に天井壁と床壁を設けて構成し、前記筒状体の中央垂直方向で前記天井壁と前記床壁の間に鋼製パイプの支柱を設けて補強し、前記支柱は地震によって座屈をしないように構成すると共に、前記避難空間の一部又は全体に重大な破壊が生じないように構成したことを特徴とする請求項１に記載の津波避難タワー。
【請求項３】
前記避難空間は筒状体の側壁と該側壁の上端部と下端部に天井壁と床壁を設けて構成し、前記筒状体の中央垂直方向で前記天井壁と前記床壁の間に鉄筋入りコンクリート製の支柱を設けて補強し、前記支柱は地震によってせん断破壊を生じないように構成すると共に、前記避難空間の一部又は全体に重大な破壊が生じないように構成したことを特徴とする請求項１に記載の津波避難タワー。
【請求項４】
前記水密に閉鎖可能な水密扉は、高圧な水圧に対しても水密に閉鎖可能であり、かつ漏水量が許容値以下であることを特徴とする請求項１〜請求項３の何れか１に記載の津波避難タワー。
【請求項５】
前記高圧な水圧は５気圧以上であり、前記漏水量の許容値は０．５（立法メートル／時間）以下としたことを特徴とする請求項４に記載の津波避難タワー。
【請求項６】
前記水密扉から漏れた漏水は該水密扉の内側の床壁に設けられた通水孔を通じて該床壁の地下空間に設けられた貯水タンクに貯留するようにしたことを特徴とする請求項１〜請求項５の何れか１に記載の津波避難タワー。
【請求項７】
前記鉄筋・鉄骨入りコンクリートの鉄骨部分に仕切りパネル取付け用の固定部材を接続し、前記仕切りパネルにより避難空間の内壁に沿って複数の仕切られた小空間の形成を容易にしたことを特徴とする請求項１〜請求項６の何れか１に記載の津波避難タワー。
【発明の詳細な説明】
【技術分野】
【０００１】
本発明は津波から避難するための避難場所に関する。特に巨大津波から避難するための人工の避難場所に関する。
【背景技術】
【０００２】
昔から津波が来たら「高い所に逃げろ。」と言われてきた。これは、「津波が到達しない海抜の高い所に逃げて避難せよ。」という意味である。これに対して、本出願人は、「津波が襲来するのを知ったら、早く避難せよ。」と変更したいと思っています。即ち、昔は津波が襲来する時間を正確に予測する技術がなく、襲来する前には津波の大きさも正確に予測できなかった。津波は湾の入口や遠くの海から突然にやってきて、浜辺や浜辺の近くに住んでいる人々に大きな被害をもたらすものと考えられていた。しかし、現代では津波を予測する技術が発達し、襲来する津波の大きさや、襲来時間も予測できるようになった。従って、津波の襲来前の早い段階で避難することは可能である。即ち、海抜の高い山や丘等が容易に避難できる範囲になくとも、代わりに到達が容易な場所に安全な避難タワーを予め建設しておけば、病人やお年寄りも容易に避難し、津波から生命を守ることができるようになった。
【０００３】
従来は容易に避難できる避難場所として小学校、中学校、公民館等の公共の建物が利用されていた。これらの建物は津波避難用として建設されたものではなく、避難場所としては不便であった。また、この他に、津波から容易に避難できる安全な建物等は見当たらない。
【０００４】
なお、津波からの災害、被害を防ぐ手段として防潮堤の建設を主張する者が必ずいると思う。防潮堤は浜辺で働いている人々や浜辺の近くに住んでいる人々の生命を救うことができる。それだけでなく、それらの人々の建物等（住宅や工場等）を守ることもできる。しかし、巨大な津波を防ぐために、背の高い（例えば１５〜２０メートル）の防潮堤を延々と長距離にわたって築くことが必要である。このために土地の取得や防潮堤の建設に巨額な費用を必要とするだけでなく、浜辺で働いている人々や浜辺の近くに住んでいる人々の意義も失わせる。それらの人々は浜辺の近くにいることによって生活が成り立ち、生きがいを感じているのであって、背の高い防潮堤を延々と長距離にわたって築くことを望んでいるわけではない。
即ち、それらの人々の生命だけでなく、土地や建物等の財産までも守るために巨大な防潮堤を建設することは、得るものよりも失うものが大きい。即ち、一番大切な事は人の生命を守ることであって、土地や建物等の財産を守ることではない。
【０００５】
本出願人は、津波から避難するための避難タワーを考案し、出願中である（特許文献１）。この出願発明の要旨は以下の通りである。即ち、津波から避難する避難者を収容する水密可能な避難空間を有する構造体を地上に設け、前記避難空間に出入りする出入口を地面から近い位置に設けると共に前記出入口を開閉可能な水密扉を設け、避難中は前記避難空間内に収容した津波避難者の呼吸により、前記避難空間内の空気中の酸素の割合が所定の酸素下限値よりも低くならず、かつ、二酸化炭素の割合が所定の二酸化炭素上限値よりも大きくならない様に、空気の汚染防止を図ったことを特徴としている。
【先行技術文献】
【特許文献】
【０００６】
【特許文献１】特願２０１４−０１８１３０、津波避難タワー、久保田健治
【非特許文献】
【０００７】
【非特許文献１】水門工学、６.5.3水密構造、水門工学編纂委員会編、技報堂出版
【非特許文献２】株式会社クマヒラ、水密扉のカタログ、設計図等
【非特許文献３】鉄筋コンクリート構造、第６章、林静雄編著、市ヶ谷出版社
【非特許文献４】青山博之「柱のせん断破壊をいかにして防ぐか」、コンクリートジャーナル、Vol.8, No.7, July 1970
【非特許文献５】家村浩和  他３名「鋼構造物の被害」
【発明の概要】
【発明が解決しようとする課題】
【０００８】
特許文献１の発明は、適宜の都合の良い場所に水密可能な閉空間を有する構造体を設けて、前記水密可能な閉空間を前記避難場所とするものである。前記発明は避難場所として海抜の高い位置にある場所を必要とせず、昔からの問題を解決している。しかし、幾つかの重大な問題が十分に解決されていない。即ち、以下のような課題がある。
（課題１）前記構造体は鉄筋コンクリート製の構造体として構成の概略は開示されているが、津波の流れや地震に対して、前記構造体の崩壊やその構造体の機能の破壊についての防止手段が記載されていないので課題がある。
（課題２）日本の沿岸にはかなり頻繁に地震が発生している。地震により前記構造体が崩壊すると大事故になりかねない。しかし、どんな大地震にも崩壊しない鉄筋コンクリート製の構造物はない。従って、地震に対する対策は予め考慮しておく必要性があるが、それについて記載されていないので課題がある。
（課題３）前記発明は避難空間を形成するために水密扉を利用している。水密扉の要件として、操作の容易性、正確性等の一般的要件の他に高圧の水圧に対して有効であり、かつ漏水量が少ないことが要求される。また、漏水が避難活動に対して影響が出ないような処理対策が必要である。これらの事項について記載されていないので課題がある。
（課題４）避難しなければならない大津波が稀にしか到来しない地方においては、津波避難タワーを建造しても費用効率（コストパーホマンス）が悪いという問題が起こり得る。この場合には、費用効率を高める必要があるが解決策が記載されていない。
【課題を解決するための手段】
【０００９】
本願の発明は、上記した問題を解決した津波避難タワーを提供することを課題としている。
第１の発明は、津波から避難する避難者を収容する水密可能な避難空間を有する構造体を地上に設け、前記避難空間に出入りする出入口を地面から近い位置に設けると共に前記出入口を水密に閉鎖可能な開閉扉を設け、避難中に、前記避難空間内に収容した津波避難者の呼吸による前記避難空間内の空気中の所定値を越える酸素の減少と二酸化炭素の増加を防止する空気の汚染防止手段を設けた津波避難タワーにおいて、
前記構造体は鉄筋・鉄骨入りコンクリート製とし、来襲した津波の海水の水流や水流中の漂流物によって構造体が倒壊せず、かつ、部分的な破壊が生じて前記避難空間へ漏れ水が浸入しないように前記構造体を構築したことを特徴としている。
【００１０】
本発明は、前記構造体が津波の水流や漂流物によって破壊等の事故が生じ、避難空間内に浸水し、避難が困難になることを防ぐことを目的としている。
【００１１】
第２の発明は、第１の発明において、前記避難空間は筒状体の側壁と該側壁の上端部と下端部に天井壁と床壁を設けて構成し、前記筒状体の中央垂直方向で前記天井壁と前記床壁の間に鋼製パイプの支柱を設けて補強し、前記支柱は地震によって座屈をしないように構成すると共に、前記避難空間の一部又は全体に重大な破壊が生じないように構成したことを特徴とする。例えば、鋼製パイプの径を大きくするとか、パイプ内にコンクリートを詰めて座屈（局部的座屈も含む）が生じないように構成したことを特徴としている。
【００１２】
本発明は、津波発生前の地震により避難空間を構成する構造体の側壁（筒状体）が破壊し、天井壁等が滑落する大事故を防ぐことを第１の目的としている。即ち、避難空間を有する構造体を鉄筋・鉄骨入りのコンクリート製の側壁のみで地震による破壊から守ろうとすると側壁の設計が複雑かつ困難になるため、避難空間の中央に鋼製パイプの支柱を設けて事故を防止することを目的としている。
【００１３】
第３の発明は、第１の発明において、前記避難空間は筒状体の側壁と該側壁の上端部と下端部に天井壁と床壁を設けて構成し、前記筒状体の中央垂直方向で前記天井壁と前記床壁の間に鉄筋入りコンクリート製の支柱を設けて補強し、前記支柱は地震によってせん断破壊を生じないように構成すると共に、前記避難空間の一部又は全体に重大な破壊が生じないように構成したことを特徴とする。例えば、曲げ破壊を生じるように構成するとか、せん断破壊の生じる設計許容値を大きくして、せん断破壊を防止したことを特徴としている。
【００１４】
本発明も、第２の発明と同様に、避難空間の中央に支柱を設けて事故を防止することを目的としている。
【００１５】
第４の発明は、第１〜第３の発明において、前記水密扉は、高圧な水圧に対しても水密に閉鎖可能であり、かつ漏水量が許容値以下にしたことを特徴とする。
【００１６】
本発明は、巨大津波による津波の圧力が高圧である場合にも水密扉が有効に機能し、避難空間が避難場所として有効に利用できるようにすることを目的としている。
【００１７】
第５の発明は、第４の発明において、前記高圧な水圧は５気圧以上であり、５気圧における前記漏水量の許容値は０．２（立法メートル／時間）以下としたことを特徴とする。
【００１８】
本発明は、具体的な数値を明記して対策を容易にすると共に避難者に安心して避難してもらうことを目的としている。
【００１９】
第６の発明は、第１〜第５の発明において、前記水密扉から漏れた漏水は該水密扉の内側の床壁に設けられた通水孔を通じて該床壁の地下空間に設けられた貯水タンクに貯留するようにしたことを特徴とする。
【００２０】
本発明は、漏水が生じた場合でも避難空間に重大な影響が及ばないようにすることを目的としている。
【００２１】
第７の発明は、第１〜第６の何れか１の発明において、前記構造体の前記鉄筋・鉄骨コンクリートの鉄骨部分に仕切りパネル取付け用の固定部材を接続し、前記仕切りパネルを利用して避難空間の内壁に沿って複数の仕切られた小空間の形成を容易にしたことを特徴とする。
【００２２】
本発明は、避難空間の側壁の内側に小部屋の形成を容易にし、津波襲来時の避難時の避難者のプライバシーを容易に保護できるようにすることと、避難時以外のときは小物の整理整頓用として使用し、前記避難空間を住民の集合場所等の避難以外の目的にも活用可能としたことを特徴とする。
【発明の効果】
【００２３】
第１の発明によれば、津波が襲来しても避難空間内へ漏れ水が浸入しないように構成したので、避難者は安心して避難できるという効果が得られる。
【００２４】
第２、第３の発明によれば、津波の襲来前に地震が起きても突然に天井壁の落下事故等を回避するための構成が容易になるという効果が得られる。
【００２５】
第４、第５の発明によれば、巨大津波による水圧が高圧な場合でも避難空間に避難できるという効果が得られる。
【００２６】
第６の発明によれば、少量の漏水があっても津波避難には大きな障害が生じないという効果が得られる。
【００２７】
第７の発明によれば、避難時には避難者が快適に避難し、避難時以外の場合にも住民の集会など、避難以外の活動に有効利用できるという効果が得られる。
【図面の簡単な説明】
【００２８】
【図１】避難タワーの正面図の地上部分を示す。
【図２】避難タワーの背面図の地上部分を示す。
【図３】避難タワーの垂直方向の断面図を示す。
【図４】１階部分の水平断面図を示す。
【図５】（Ａ）水密扉の正面図、（Ｂ）上から見た断面図を示す。
【図６】（Ａ）２連ヒンジの説明図を示す（Ｂ）２連ヒンジを使用した場合の作用効果の説明図を示す。
【図７】側壁の補強部材の構成例を示す。
【発明を実施するための最良の形態】
【００２９】
発明の実施の最良の形態を実施例に基づき図面を参照して説明する。
【実施例】
【００３０】
実施例１は避難空間を有する構造体の断面が円形の筒状体とした場合である。
図１は、津波避難タワー１１の地上部分を示した陸側から見た正面図である。正面は津波が直接に来襲するのを防止するために、海側の反対方向を向いている。避難タワー１１の正面には玄関室１０９が設けられ、玄関室１０９の玄関（入口）１０９ａには開閉自在なドア１１０が設けられている。玄関室１０９の奥の壁に水密扉１３が設けられている（図３参照）。玄関１０９ａの上方には玄関１０９ａを照らすための照明灯１４が設置されており、両側には携帯電話用の受信アンテナ１５が取り付けられており、ドーム形状の屋根１２の中央には監視用の窓１６が設けられ、その下側に監視用のカメラ１７が取り付けられている。
【００３１】
図２は、海側から見た背面図を示す。図２において、照明灯１８は避難者に避難タワー１１の存在場所を報せるためである。また、監視窓１９は浜辺の状況や浜辺から避難してくる避難者の状況等を監視するためである。更に、監視カメラ２０は望遠鏡カメラで、浜辺の状況や湾内の津波の状況を避難民に報せるためである。これに代えて、浜辺に鉄塔を建てて、鉄塔の上に望遠カメラを設置して津波や浜辺の状況を報せるようにしてもよい。
【００３２】
図３、図４は避難空間３９を説明するための図で、図３は避難空間３９を避難タワー１１の垂直方向の断面図で、図４は避難空間３９の水平断面図を示す。
図３、図４において、避難タワー１１の外部から避難空間３９に進入する出入口として玄関室１０９が設けられている。玄関室１０９の入口外側に玄関ドア１１０が外側に開くか、左右に開くように構成されている。また、玄関室１０９の奥の壁には避難空間３９に進入するための開口４０が設けられている。開口４０の外側に津波水の浸入を防止するための水密扉１３が設置される。水密扉１３２については後で詳述する。
【００３３】
以下、避難空間３９の構成例について説明する。避難空間３９は円筒状の空間であり、略円形の筒状体の側壁２１と、側壁２１の上端部に設けられた天井壁２２と下端部に設けられた床壁２３から構成されている。側壁２１、天井壁２２、床壁２３は何れも鉄筋又は鉄骨コンクリート製であり、５気圧の水圧に耐えられるようにする。なお、内側表面には断熱材が貼られ、内壁に露が生じないようにすると共に一定温度に保ち快適に過ごせるように工夫してある。また、避難空間３９の中央には、天井壁２２と床壁２３の間に鋼製の支柱２４が設けられ、地震等による避難空間３９の崩壊を防ぐように構成されている。また、避難空間３９の内部から携帯電話等による外部への通信を容易にするために、側壁２１の適宜の位置にブースタ１５ａが設けられている。ブースタ１５ａは側壁２１の外部に設けられた受信アンテナ１５とケーブルで接続されている。従って、避難者は外部の知人との確認や津波状況を携帯電話で知ることもできる。
【００３４】
避難空間３９の中央部分には絨毯やマットが敷かれ、外周部分にはトイレ４６、飲料水のペットボトルを保冷するための大型冷凍庫（図示省略）、パック詰めした食料品、薬品等を保管するための戸棚４８、パネルとカーテンで仕切られた複数の小空間４９及び地下室へ連通する階段４３が設けられている。なお、戸棚４８の上側にはテレビ等の受像機４８ａが配置されている。また、空隅には折り畳まれた毛布等が置かれている。
【００３５】
天井壁２２の上側には半球状の屋根１２を設けたドーム空間１２ａが形成されている。ドーム空間１２ａ内には蓄電池２５及び貯水タンク２６が配置されている。蓄電池２５の入力端子は外部からの電源配線に接続され、出力端子は避難空間３９内の照明灯、その他の重要な電気機器に接続されている。重要な電気機器は避難空間３９内の空気の汚染防止を図るために必要なコンプレッサーやポンプ等を駆動する駆動モータ等（特許文献１、図８参照）である。なお、玄関の照明灯１４、１８は含まれない。これらの照明灯１４，１８は外部からの電気配線に直接接続されており、地震等により外部からの電気配線が断線した時は点灯しない。この場合は、避難空間３９への避難は一時中止して、他の避難タワーに避難するか、断線箇所の復旧を待って避難を開始する。津波避難タワー１１の監視者は常に照明灯１４、１８を監視して、消灯を発見した時は速やかに断線箇所を復旧する必要がある。なお、復旧には長時間を要する場合も考えられるので、地震や津波に左右されない一時的に利用可能なエンジン及び発電機を有する外部配線を準備しておくのが好ましい。
貯水タンク２６は手洗い用であり、飲料水は避難空間３９内に保存している。
【００３６】
床壁２３の下側の地下室３０には、水密扉６２から漏れた漏洩水を貯留するための漏洩水タンク７１と下水を貯留する下水タンク７２が配設されている。水密扉６２から漏れた漏洩水は床壁２３に設けられた凹み部（図示省略）に溜まり、床壁２３に設けられた導水孔（図示省略）を通じて漏洩水タンク７１に集められる。地下室３０の空きスペース７３は倉庫として活用される。これらのタンク７１，７３に溜まった水は図示省略の排水ポンプによって適宜の時期に外部に排出される。
【００３７】
図５は玄関室に設けられた水密扉１３の詳細図を示す。図５（Ａ）は正面図を示し、図５（Ｂ）は上から見た断面平面図を示す。図５において、玄関室１０９の奥壁に避難空間１２０に連通する入口として開口４０が設けられている。開口４０の玄関室１０９側の壁に枠体６１が水密に固着されている。更に、枠体６１の表面には弾性体からなる水密パッキン６９が開口４０を取り囲むようにして固着されている。一方、水密扉１３の扉体６２がヒンジ６３により開閉自在に設けられており、扉体６２の水密面を水密パッキン６９に強く押し付けることにより外部からの水が避難空間内に浸水するのを防止する構成になっている。また、水密扉体６２には表面側及び裏面側から操作できるハンドル６５が設けられている。
【００３８】
本実施例では、ヒンジとして２連ヒンジ７０を使用し、扉体６２の開閉を行うように設けられている。図６（Ａ）は２連ヒンジ７０の説明図を示し、図６（Ｂ）は２連ヒンジ７０を採用した水密扉体６２の作用を示す。図６（Ａ）で、２連ヒンジ７０は２個のヒンジ７０ａ、７０ｂの各軸７１，７２が平行になるようにヒンジ７０ａの搖動部７６ａとヒンジ７０ｂの搖動部７６ｂを固定接続したヒンジである。図５（Ａ）、（Ｂ）及び図６（Ｂ）に示すように、第１ヒンジ７０ａの固定部７３は枠体６１の左辺側の表面に固定し、第２ヒンジ７２７０ｂの固定部７４が水密扉体６２の表面に固定されている。水密扉体６２を閉じて（図６（Ｂ）の点線の状態にして）、ハンドル６５を一方向に回すと係止用爪６８が飛び出して係止部材７８の係止孔６７と係止する。この際水密扉６２の水密部が水密ゴム７７を圧接した状態になるように、係止用爪６８を楔状に形成しておく。なお、第１軸７１及び第２軸７２は部材７６（７６ａ、７６ｂ）によって連結されている。また、枠体６１の右側表面には水密扉１３の回転を固定するための係止孔６７を有する係止部材７８が立設されている。また、ハンドル６５を逆方向に回すと係止用爪６８が引っ込んで開閉が自在となるように構成されている。なお、図５（Ｂ）の一点鎖線は水密扉体６２を開いて、避難者が通行できる状態にした場合を示す。
【００３９】
以下に、図６を利用して２連ヒンジを使用した場合の水密扉１３の作用効果を説明する。水密扉体６２の水密部(裏面)が水密ゴム６９を圧接した状態で、水密扉６２の表面に玄関室１０９から浸水した水圧が作用すると水密扉体６２は水密ゴム６９を強く圧接する。この際、水密ゴム６９の断面の構造が一様で材質も均質であれば水密扉体６２の圧接力は一様に作用し、水密ゴム６９は一様に一定変量（δ）だけ押し潰された状態になる。従って、水密扉体６２の水密面は枠体６１の表面に並行で変位量（δ）だけ枠体６１に一様に接近する。この状態は水密扉１３が水圧を最も有効に利用した状態となる。即ち、２連ヒンジ７０を使用することにより水密状態が最も有効に維持される。なお、漏水量は水密ゴムの形状(構造)やゴム材料の性質によっても大きく変化する。従って、使用するケースに合わせて水密ゴムを選択することが重要である。水密効果は水密扉１３の形状によっても異なり、正方形の形状の水密扉の水密効果が最も良く、細長い長方形ほど水密効果が悪い。
【００４０】
図７は流木等による衝突によって、側壁２１にせん断力による穴が開くのを防止するために、側壁２１のコンクリート中に補強用の鉄骨を入れる場合の例を示す。図７（Ａ）は側壁２１に鉄骨を入れる位置を示した平面図で、図７（Ｂ）は図７（Ａ）の丸で囲んだ部分の平面拡大図を示し、図７（Ｃ）は図７（Ｂ）の正面図を示す。図７（Ａ）に示すように、Ｔ字形状の型鋼（Ｔ形鋼）８４を一定角度（例えば、１０度）ごとに側壁２１の内側表面近くに配置する。外側表面は潮風等の塩分を含んだ風に晒されるので鉄骨の酸化を防ぐためである。また、内部に鋼線の網を張った枠体を、図７（Ｂ）及び（Ｃ）に示すように、Ｔ字形状の型鋼（Ｔ形鋼）８４に固着する。固着は必要な部分を選択して平行に又は千鳥状に行う。
【００４１】
以下に、津波避難タワーと地震との関連について説明する。津波避難タワーは鉄筋コンクリートを利用した人工構造物であって、想定を超えた地震に遭遇すると破壊する可能性がある。特に、避難空間を広くした場合には破壊の可能性が大きくなる。この場合、側壁の厚さを厚くして破壊を防止するよりも中央部に１又は複数の支柱を設けて破壊を防止することが有効であると考えられる。支柱としては種々の支柱があるが、支柱の種類により特徴と欠点がある。ここでは、避難空間に適していると思われる実用的な２種類の支柱について検討し、重大な破壊が生じないように工夫をした。
【００４２】
なお、実施例１では側壁の断面形状が円形の筒状体の場合について記載しているが、筒状体はこれに限られるものではない。断面形状を長方形、正方形、６角形又は８角形等としてもよい。
【符号の説明】
【００４３】
１１          津波避難タワー
１２          ドーム形状屋根
１３          水密扉
１４、１８    照明灯
１５          受信アンテナ
１６、１９    監視窓
１７、２０    監視カメラ
２１          筒状部の側壁
２１ａ        断熱材
２４          補強部材（支柱）
２５          貯水タンク
２６          大型蓄電池
２８          開口
２８ｂ        梯子
２９          地面
３０          地下室
４０          出入口
４１          １階の床面
４３          階段
４５          テーブルセット
４６          トイレ
４８          棚
４８ａ        モニター
４９          仕切られた小空間
６１          枠体（水密扉）
６２          扉体（水密扉）
６３          ヒンジ
６４          取手
６５          ハンドル
６６          監視用窓
６７          固定片
６８          爪
６９          水密パッキン
１０９        玄関室
１１０        玄関ドア
【図１】
2016040440.tif 000003
【図２】
2016040440.tif 000004
【図３】
2016040440.tif 000005
【図４】
2016040440.tif 000006
【図５】
2016040440.tif 000007
【図６】
2016040440.tif 000008
【図７】
2016040440.tif 000009